(57)【特許請求の範囲】
【請求項１】
第１電力供給部から第１被供給部に電力が供給されることで認証動作を行う認証手段と、第２電力供給部から第２被供給部に電力が供給されることで物理的な動作を行う動作手段と、を備え、
前記動作手段には、手動等の操作がなされる操作部の操作に応じて動作を行う動作部材が設けられるとともに、前記第２電力供給部から前記第２被供給部に電力を供給されることで前記動作部材の動作の規制または非規制を選択的に行う規制部材が設けられ、
前記第２電力供給部から前記第２被供給部に供給される電力は、前記操作部の操作に応じて正方向または逆方向に流れる構成となっており、
前記認証手段により認証が許可されたときに、スイッチ部のＯＮ／ＯＦＦ状態の切り換えにより、前記正方向または逆方向のいずれか一方の前記電力の流れが許容され、該電力の流れる方向に応じて、前記規制部材による前記動作部材の動作の規制または非規制の選択が行われることを特徴とする作動装置。
【請求項２】
前記第２電力供給部は、手動等の操作がなされる操作部の操作に応じて発電を行う手動発電部となっていることを特徴とする請求項１に記載の作動装置。
【請求項３】
前記第２電力供給部及び前記第２被供給部は、整流器により正方向または逆方向に電流を流す少なくとも２系統の電力線により互いに接続されており、前記スイッチ部が少なくとも１系統の電力線に設けられることを特徴とする請求項１または２に記載の作動装置。
【請求項４】
第１電力供給部から第１被供給部に電力が供給されることで認証動作を行う認証手段と、第２電力供給部から第２被供給部に電力が供給されることで物理的な動作を行う動作手段と、を備え、
前記動作手段には、手動等の操作がなされる操作部の操作に応じて動作を行う動作部材が設けられるとともに、前記第２電力供給部から前記第２被供給部に電力を供給されることで前記動作部材の動作の規制または非規制を選択的に行う規制部材が設けられ、
前記規制部材は、磁極を有するとともに、前記第２被供給部は、前記規制部材の近傍に配置された電磁石となっており、
前記認証手段により認証が許可されたときに、スイッチ部がＯＮ状態に切り換わることで前記電磁石が通電し、該電磁石により前記規制部材の向きが切り換わり、前記規制部材により前記動作部材の動作の規制または非規制の少なくとも一方が許容されることを特徴とする作動装置。
【発明の詳細な説明】
【技術分野】
【０００１】
本発明は、認証手段と物理的な動作を行う動作手段とを備える作動装置に関する。
【背景技術】
【０００２】
従来、外部からの電源供給を受けることなく、認証動作及び解錠動作が行われ、電源用の外部配線を無くすことができる認証装置を備えるキャビネットがあり、このようなキャビネット（什器）では、引手部に加えられる開放操作を受けて発電を行い、これによる電力供給を受けて認証装置（認証手段）が起動して認証動作が行われるとともに、錠装置（動作手段）を駆動して扉を開放可能な状態にしている（例えば、特許文献１参照）。
【先行技術文献】
【特許文献】
【０００３】
【特許文献１】特開２００８−１３８５１５号公報
【発明の概要】
【発明が解決しようとする課題】
【０００４】
しかしながら、特許文献１に記載のキャビネット（什器）にあっては、錠装置（動作手段）は、物理的な解錠動作を行うために大きな電力を必要としているが、この解錠動作の前に、認証装置（認証手段）の認証動作により電力が消費されてしまい、錠装置を作動させるための充分な電力が確保できなくなる問題があり、特に、引手部に加えられる開放操作による手動発電により電力を確保しているため、充分な電力量を確保できなくなる場合があり、上記問題が頻繁に生じてしまうようになっている。
【０００５】
本発明は、このような問題点に着目してなされたもので、省電力化を図ることができ、かつ動作手段に供給される充分な電力量を確保できる作動装置を提供することを目的とする。
【課題を解決するための手段】
【０００６】
前記課題を解決するために、本発明の作動装置は、
第１電力供給部から第１被供給部に電力が供給されることで認証動作を行う認証手段と、第２電力供給部から第２被供給部に電力が供給されることで物理的な動作を行う動作手段と、を備え、
前記動作手段には、手動等の操作がなされる操作部の操作に応じて動作を行う動作部材が設けられるとともに、前記第２電力供給部から前記第２被供給部に電力を供給されることで前記動作部材の動作の規制または非規制を選択的に行う規制部材が設けられ、
前記第２電力供給部から前記第２被供給部に供給される電力は、前記操作部の操作に応じて正方向または逆方向に流れる構成となっており、
前記認証手段により認証が許可されたときに、スイッチ部のＯＮ／ＯＦＦ状態の切り換えにより、前記正方向または逆方向のいずれか一方の前記電力の流れが許容され、該電力の流れる方向に応じて、前記規制部材による前記動作部材の動作の規制または非規制の選択が行われることを特徴としている。
この特徴によれば、認証手段は、認証動作とスイッチ部に供給される電力のＯＮ／ＯＦＦ状態の切り換えのみを行うため、認証手段が省電力で動作できるようになり、かつ物理的な動作を行う動作手段に供給される電力は、認証手段に供給される電力と別電源とすることができ、動作手段に供給される充分な電力量を確保できるようになる。
【０００７】
本発明の作動装置は、
前記第２電力供給部は、手動等の操作がなされる操作部の操作に応じて発電を行う手動発電部となっていることを特徴としている。
この特徴によれば、手動発電により動作手段の動作に必要な電力量を確保して作動装置の省電力化を図ることができる。
【００１０】
本発明の作動装置は、
前記第２電力供給部及び前記第２被供給部は、整流器により正方向または逆方向に電流を流す少なくとも２系統の電力線により互いに接続されており、前記スイッチ部が少なくとも１系統の電力線に設けられることを特徴としている。
この特徴によれば、少なくとも２系統の電力線と整流器という簡素な構成で、動作部材の規制または非規制を行う動作手段を構成でき、認証手段は、少なくとも１系統の電力線のスイッチ部を制御するだけで済み、認証手段は、第２電力供給部から第２被供給部に供給される電力の流れの方向を把握する必要がなく、作動装置の省電力化を図ることができる。
【００１１】
本発明の作動装置は、
第１電力供給部から第１被供給部に電力が供給されることで認証動作を行う認証手段と、第２電力供給部から第２被供給部に電力が供給されることで物理的な動作を行う動作手段と、を備え、
前記動作手段には、手動等の操作がなされる操作部の操作に応じて動作を行う動作部材が設けられるとともに、前記第２電力供給部から前記第２被供給部に電力を供給されることで前記動作部材の動作の規制または非規制を選択的に行う規制部材が設けられ、
前記規制部材は、磁極を有するとともに、前記第２被供給部は、前記規制部材の近傍に配置された電磁石となっており、
前記認証手段により認証が許可されたときに、スイッチ部がＯＮ状態に切り換わることで前記電磁石が通電し、該電磁石により前記規制部材の向きが切り換わり、前記規制部材により前記動作部材の動作の規制または非規制の少なくとも一方が許容されることを特徴としている。
この特徴によれば、電磁石によって小さな磁力を与えることにより、規制部材の向きを容易に切り換えることができ、磁性を有する規制部材と電磁石という簡素な構成で、動作部材の規制または非規制を行うことができ、作動装置の省電力化を図ることができる。
【図面の簡単な説明】
【００１２】
【図１】施解錠装置を備える什器を示す斜視図である。
【図２】引出しの前面板の内部構造を示す部分断面図である。
【図３】施解錠装置を示す平面図である。
【図４】操作前の施解錠装置を示す正面図である。
【図５】施錠時にコイルバネにエネルギーが蓄えられる状態を示す正面図である。
【図６】施錠時にコイルバネにエネルギーが放出される状態を示す正面図である。
【図７】解錠時にコイルバネにエネルギーが蓄えられる状態を示す正面図である。
【図８】解錠時にコイルバネにエネルギーが放出される状態を示す正面図である。
【図９】施錠状態の施解錠装置を示す正面図である。
【図１０】認証装置及び施解錠装置を示す回路図である。
【発明を実施するための形態】
【００１３】
本発明に係る作動装置を実施するための形態を実施例に基づいて以下に説明する。
【実施例】
【００１４】
実施例に係る作動装置につき、図１から図１０を参照して説明する。図１の符号１は、オフィス等に設置される什器１である。この什器１は、上下３段の引出し２（収納部）が設けられている。そして、これらの引出し２には、引出し２を開放するための取手部３が設けられており、最上段の引出し２には、引出し２の施解錠を行うための摘み部４（操作部）と、施解錠の認証を行う認証装置５（認証手段）と、が設けられている。なお、取手部３は、ラッチ機構（図示略）と連係されており、ラッチ機構により引出し２が不用意に開放されないようにするとともに、取手部３を把持することでラッチ機構が解除されて引出し２が開放可能となる。
【００１５】
図２に示すように、引出し２の内部には、施解錠装置６（動作手段）が設けられている。この施解錠装置６は、前述した摘み部４を有しており、後述するように、この施解錠装置６が認証装置５とも連動されており、認証装置５により認証が許可された操作者が施解錠を行うことができる。なお、認証装置５と施解錠装置６とにより本実施例における作動装置を構成している。
【００１６】
さらに、施解錠装置６は、引出し２を開放不能にするための矩形状の棒状部材をとなっている動作部材７を有しており、この動作部材７が係合方向（左方向）に移動されることで、その先端部が什器１の側板３４に形成された受け座８（被係合部）に挿入されて係合し、引出し２が開放不能になる。
【００１７】
また、動作部材７が解除方向（右方向）に移動されることで、その先端部が什器１の側板３４の受け座８から脱し、引出し２が開放可能になる。そして、図１０に示すように、認証装置５は、操作者が暗証番号を入力するためのテンキー９と、認証が許可されたか否かを表示するインジケータ１０と、パネル状をなす太陽電池パネル１１（第１電力供給部）と、これらが接続された制御部３５（第１被供給部）と、を備えている。なお、テンキー９とインジケータ１０と太陽電池パネル１１とは、引出し２の前面板１２の前面に設けられている（図１及び図２参照）。
【００１８】
また、認証装置５は、太陽電池パネル１１から供給される電力により稼働されるようになっている。さらに、認証装置５の制御部３５には、太陽電池パネル１１にて発電された電力を蓄えるバッテリ（図示略）が設けられている。なお、認証装置５は、電気回路の作動を行うのみで、物理的な機械の動作を行わないようになっているため、室内灯などの微弱な光を用いて太陽電池パネル１１により発電される微量な電力であっても、認証装置５が充分に作動されるようになっている。
【００１９】
次に、施解錠装置６について詳述する。図３及び図４に示すように、施解錠装置６は、引出し２の前面側を閉塞する前面板１２に内蔵されており、この施解錠装置６は、前面板１２内に固定的に配置された取付金具１３をベースとしている。この取付金具１３には、動作部材７を直線状に案内するために、上下２条の凸条で形成される案内部１４（経路）が設けられている。この案内部１４に沿って動作部材７が左右方向に移動可能となっている。
【００２０】
前述した摘み部４は、正面視で略円形状をなし、前面板１２の前面に設けられた摘み配置部材１５内に配置されている。そして、この摘み部４の後面側には、摘み部４の回転と同時に回転される操作ギア１６が設けられている。この操作ギア１６の歯部１７は、円形状をなす操作ギア１６の円周上の一部に形成されている。なお、摘み部４と操作ギア１６とは、連動軸１８により相対的に固定されている（図３参照）。また、操作ギア１６の後面側には、操作ギア１６の円周近傍に設けられた操作ピン１９が設けられている。
【００２１】
図４に示すように、動作部材７には、操作ピン１９が係合するための上下に延びる長孔２０が形成されている。操作者が摘み部４を回転操作させることで操作ギア１６が周方向に回転するようになり、それに伴って操作ピン１９の位置が操作ギア１６の回転に伴って移動され、操作者の手動操作力が操作ピン１９を介して長孔２０から動作部材７に伝達される。本実施例では、操作者が摘み部４を反時計回りに回転させることで、動作部材７が係合方向（左方向）に移動するとともに、操作者が摘み部４を時計回りに回転させることで、動作部材７が脱離方向（右方向）に移動するようになっている。
【００２２】
また、施解錠装置６の取付金具１３の後部には、発電機２１（第２電力供給部，手動発電部）が取り付けられている（図３参照）。この発電機２１は直流電流を発電するようになっている。そして、操作ギア１６の上方位置には、発電機２１を駆動する発電ギア２２が設けられている。なお、この発電ギア２２は、発電機２１の駆動軸２４に対して相対的に固定されており、発電ギア２２は、駆動軸２４を中心として回転されるようになっている。この発電ギア２２には、その全周に歯部２３が形成されており、操作ギア１６の歯部１７が係合されるようになっている。
【００２３】
さらに、発電ギア２２は、その左右端部に弾性を有する弾性部材として構成される左右一対のコイルバネ２５が取り付けられている。なお、コイルバネ２５の一端は、発電ギア２２に取り付けられるとともに、コイルバネ２５の他端は、取付金具１３に取り付けられている。また、この発電ギア２２は、その周方向に回転自在になっているが、左右両コイルバネ２５の付勢力によって、発電ギア２２は、その周方向の定位置に安定的に保持されるようになっている。
【００２４】
さらに、案内部１４の右端側近傍には、回転軸２６により回転自在となっている略円形状をなす回転体２７（規制部材）が設けられている。この回転体２７は、その一部が直線状に切り欠かれて切欠部２８が形成されている。図４に示すように、回転体２７が回転され、その切欠部２８が下方位置にあるときには、動作部材７が最右方側の脱離位置まで移動できる。図９に示すように、回転体２７が回転され、その切欠部２８が上方位置にあるときには、回転体２７の一部が案内部１４の内部に配置されるようになり、動作部材７が回転体２７に接触してその移動動作が規制（ロック）されるようになっている。
【００２５】
図４に示すように、回転体２７の内部には、磁性を有する永久磁石２９（磁性部材）が設けられている。この永久磁石２９に外部から磁力が加わることで、回転体２７が回転されるようになっている。なお、回転体２７の切欠部２８が下方位置にあるときに、永久磁石２９の磁極の向きは、左方側がＮ極で右方側がＳ極となっている。そして、回転体２７の上方位置には、回転体２７に磁力を加える電磁石３０（第２被供給部）が配置されている。この電磁石３０は、鉄心の周りに銅線により形成されたコイルを配置したものとなっている。
【００２６】
図１０に示すように、発電機２１の２つの電極３１から２本の電線３２が延びており、この２本の電線３２を介して発電機２１が電磁石３０のコイルに接続されている。なお、この２本の電線３２のうち、一方の電線３２は、その途中で分岐され、かつ分岐後に再び合流されるように分離された分離部３２ａ，３２ｂを有している。この２つの分離部３２ａ，３２ｂには、それぞれの分離部３２ａ，３２ｂを流れる電流の方向を一方向にする整流器３６ａ，３６ｂが設けられている。そして、各分離部３２ａ，３２ｂを流れる電流は、正方向または逆方向の異なる方向に流れるようになっている。なお、この分離部３２ａ，３２ｂにより、正方向または逆方向に電流を流す少なくとも２系統の電力線３２が構成される。
【００２７】
なお、一方の分離部３２ｂには、認証装置５によって制御されるＯＮ／ＯＦＦスイッチ部３３が設けられている。操作者が暗証番号をテンキー９に暗証番号を入力して認証が許可された場合には、分離部３２ｂのスイッチ部３３がＯＮ状態（通電可能状態）となる。また、操作者が暗証番号をテンキー９に暗証番号を入力して認証が不可だった場合には、分離部３２ｂのスイッチ部３３がＯＦＦ状態（通電不能状態）となる。
【００２８】
また、後述するように、操作者が施錠操作を行う際に、電線３２を介して発電機２１から電磁石３０に電流が流れるようになっている。この施錠操作を行う際に電線３２を流れる電流を正方向とすると、この正方向の電流の流れは、分離部３２ａを介して通電可能状態となっている。
【００２９】
そのため、操作者が施錠操作を行う際には、特に認証装置５にて認証を行う必要はない。操作者が施錠操作を行う際には、先ず操作者は摘み部４を反時計回りに回転させる。そして、摘み部４の回転に伴い操作ギア１６が回転されることで、動作部材７が係合方向（左方向）に移動される。
【００３０】
図５に示すように、動作部材７が所定量移動されたとき、即ち操作ギア１６が所定量回転されたときに、操作ギア１６の歯部１７が発電ギア２２の歯部２３と係合し、互いにギア１６，２２が連係されるようになっている。そして、操作ギア１６の反時計回りの回転とともに、発電ギア２２が時計回りに回転される。この発電ギア２２の回転とともに、発電ギア２２の左右のコイルバネ２５が延び始める。
【００３１】
そして、操作者の手動操作により摘み部４を回転させて操作ギア１６が回転され続けることで、摘み部４に加わる手動操作によるエネルギーがコイルバネ２５を延ばすようになる。このコイルバネ２５には、動作部材７の移動に伴うストローク、即ち摘み部４の回転に伴うストロークの一部の動作が、コイルバネ２５の延長という機械的エネルギーとして蓄えられる。
【００３２】
図６に示すように、さらに操作ギア１６が所定量回転されると、操作ギア１６の歯部１７が発電ギア２２の歯部２３から外れ、互いにギア１６，２２の連係状態が断たれる。そして、コイルバネ２５が有する復元力により一気にコイルバネ２５が短縮し、コイルバネ２５に蓄えられた機械的エネルギーが瞬時に放出されて発電ギア２２を反時計回りに回転させる。
【００３３】
この発電ギア２２の回転によって発電機２１にて発電が行われる。なお、このとき、発電機２１が発電した電力は、直流電流となっている。さらに、コイルバネ２５に蓄えられた機械的エネルギーが瞬時に放出されるため、高い電圧を発生させることができる。
【００３４】
また、発電機２１が発電した電力は、回転体２７の上方位置に配置された電磁石３０に供給される。そして、通電された電磁石３０は一時的に磁化されて、電磁石３０の左端部がＮ極、右端部がＳ極となる磁場が発生する。このとき、電磁石３０が発生せる磁力により、回転体２７の内部の永久磁石２９が磁力の影響を受けて、回転体２７が回転軸２６と中心として回転され、その向きが切り換わるようになっている。なお、回転体２７は１８０°回転されることで、その向きが切り換わる。なお、動作部材７は、回転体２７の向きに係らず最左方側の係合位置まで移動できる。
【００３５】
図５及び図６に示すように、回転体２７の向きが切り換わる前は、回転体２７の切欠部２８が下方位置に配置されている。電磁石３０が通電されることで、回転体２７の向きが切り換わった後は、回転体２７の一部が案内部１４内に配置されるようになる。なお、この案内部１４内に配置された回転体２７の一部が、後述するように動作部材７の移動を規制（ロック）する規制部材となる。
【００３６】
また、操作者が解錠操作を行う際に、電線３２を介して発電機２１から電磁石３０に電流が流れるようになっている。この解錠操作を行う際に電線３２を流れる電流を逆方向とすると、この逆方向の電流の流れは、分離部３２ｂのスイッチ部３３がＯＦＦ状態とされることで通電不能状態となっている。
【００３７】
そのため、操作者が解錠を行う際には、先ず認証装置５にて認証を行う。操作者が暗証番号をテンキー９に暗証番号を入力して認証が許可された場合には、分離部３２ｂのスイッチ部３３がＯＮ状態（通電可能状態）となる。その後、操作者は摘み部４を時計回りに回転させる。そして、摘み部４の回転に伴い操作ギア１６が回転されることで、動作部材７が脱離方向（右方向）に移動される。
【００３８】
図７に示すように、動作部材７が所定量移動されたとき、即ち操作ギア１６が所定量回転されたときに、操作ギア１６の歯部１７が発電ギア２２の歯部２３と係合し、互いにギア１６，２２が連係されるようになっている。そして、操作ギア１６の時計回り回転とともに、発電ギア２２が反時計回りに回転される。この発電ギア２２の回転とともに、発電ギア２２の左右のコイルバネ２５が延び始める。
【００３９】
そして、操作者の手動操作により摘み部４を回転させて操作ギア１６が回転され続けることで、摘み部４に加わる手動操作によるエネルギーがコイルバネ２５を延ばすようになる。このコイルバネ２５には、動作部材７の移動に伴うストローク、即ち摘み部４の回転に伴うストロークの一部の動作が、コイルバネ２５の延長という機械的エネルギーとして蓄えられる。
【００４０】
図８に示すように、さらに操作ギア１６が所定量回転されると、操作ギア１６の歯部１７が発電ギア２２の歯部２３から外れ、互いにギア１６，２２の連係状態が断たれる。そして、コイルバネ２５が有する復元力により一気にコイルバネ２５が短縮し、コイルバネ２５に蓄えられた機械的エネルギーが瞬時に放出されて発電ギア２２を時計回りに回転させる。この発電ギア２２の回転によって発電機２１にて発電が行われる。なお、このとき、発電機２１が発電した電力は、前述の施錠操作時に発電した電力と同様に直流電流となっているが、その電極の極性は、逆になっている。
【００４１】
即ち、発電機２１が発電した電力は、回転体２７の上方位置に配置された電磁石３０に供給されるが、電磁石３０では、電磁石３０の左端部がＳ極、右端部がＮ極となる磁場が発生する。このように、摘み部４が係合方向に操作されたときの発電機２１の電極の極性と、摘み部４が脱離方向に操作されたときの発電機２１の電極の極性と、が互いに反転するようになっている。
【００４２】
そして、電磁石３０が発生せる磁力により、回転体２７の内部の永久磁石２９が磁力の影響を受け、回転体２７が回転軸２６と中心として回転され、その向きが切り換わるようになっている。このように、電磁石３０で動作する回転体２７を電磁石３０の磁極により制御できるようになり、操作者が摘み部４を手動操作することにより回転体２７を制御することができる。
【００４３】
また、回転体２７の向きが切り換わった後は、回転体２７の切欠部２８が下方位置に配置され、動作部材７が脱離位置まで移動可能となる。操作者は、摘み部４を時計回りに回転させて動作部材７を脱離位置まで移動させることで、什器１と引出し２が開放可能となる。
【００４４】
なお、操作者が解錠操作を行う際には、先ず認証装置５にて認証を行うようになっているが、認証装置５において、操作者が暗証番号をテンキー９に暗証番号を入力して認証が不可だった場合には、発電機２１と電磁石３０との間の電線３２の分離部３２ｂのスイッチ部３３がＯＦＦ状態（通電不能状態）となる（図１０参照）。この状態で操作者が摘み部４を回転させると、操作ギア１６及び発電ギア２２は回転されるようになっているが、分離部３２ｂのスイッチ部３３がＯＦＦ状態（通電不能状態）であるため、電磁石３０が通電されることはなく、回転体２７が回転されないようになっている。
【００４５】
例えば、図９に示すように、認証装置５において認証が不可だった場合には、操作者が解錠を行う際に摘み部４を操作しても、動作部材７の端部が回転体２７に接触してその移動が規制されるようになっている。この状態では、動作部材７の先端部は、什器１の側板３４の受け座８（被係合部）に挿入されて係合された状態となっており、引出し２を開放することができない。
【００４６】
以上、本実施例における什器１では、認証装置５は、認証動作とスイッチ部３３に供給される電力のＯＮ／ＯＦＦ状態の切り換えのみを行うため、認証装置５が省電力で動作できるようになり、かつ物理的な動作を行う施解錠装置６に供給される電力は、認証装置５に供給される電力と別電源とすることができ、施解錠装置６に供給される充分な電力量を確保できるようになる。
【００４７】
また、施解錠装置６（ロック装置）の電磁石３０は、手動操作によって発電を行う発電機２１から電力の供給を受けることで、手動発電により施解錠装置６の動作に必要な電力量を確保して什器１の省電力化を図ることができる。かつ認証装置５のみが太陽電池パネル１１などから電力の供給を受ければよくなり、環境保護に配慮した什器１とすることができる。
【００４８】
また、認証装置５は、スイッチ部３３のＯＮ／ＯＦＦの制御を行い、回転体２７による動作部材７の動作の規制または非規制の少なくとも一方が許容されることで、動作部材７の動作の規制または非規制を選択的に行うことができるとともに、動作部材７が行う動作は、摘み部４の操作に応じて決定されるため、認証装置５若しくは別途の記憶装置により、動作部材７の動作態様を記憶しておく必要がなく、什器１の省電力化を図ることができる。
【００４９】
また、回転体２７による動作部材７の動作の規制または非規制の選択は、摘み部４の操作に応じて決定され、認証装置５は、発電機２１から電磁石３０に供給される電力の流れのいずれか一方の流れの許容の制御を行い、該電力の他方の流れは常に許容されるようになっているため、認証装置５は、動作部材７の動作の規制または非規制のいずれか一方を制御するだけで済み、認証装置５若しくは別途の記憶装置により、回転体２７の状態を記憶しておく必要がなく、什器１の省電力化を図ることができる。
【００５０】
また、２系統の電力線３２（分離部３２ａ，３２ｂ）と整流器３６ａ，３６ｂという簡素な構成で、動作部材７の規制または非規制を行う施解錠装置６を構成でき、認証装置５は、１系統の電力線３２（分離部３２ｂ）のスイッチ部３３を制御するだけで済み、認証装置５は、発電機２１から電磁石３０に供給される電力の流れの方向を把握する必要がなく、什器１の省電力化を図ることができる。
【００５１】
また、電磁石３０によって小さな磁力を与えることにより、回転体２７の向きを容易に切り換えることができ、磁性を有する回転体２７と電磁石３０という簡素な構成で、動作部材７の規制または非規制を行うことができ、什器１の省電力化を図ることができる。
【００５２】
以上、本発明の実施例を図面により説明してきたが、具体的な構成はこれら実施例に限られるものではなく、本発明の要旨を逸脱しない範囲における変更や追加があっても本発明に含まれる。
【００５３】
例えば、前記実施例では、オフィス等に設置される什器１の引出し２に対して本発明が適用された施解錠装置６が設けられているが、施解錠装置６は、什器１の引出し２のみならず、観音扉式の開閉部を有する什器や蓋体により収納部を開閉する什器に本発明が適用された施解錠装置６を設けるようにしてもよい。さらに、什器１のみならず、家屋の玄関のドアや窓等を施錠する施解錠装置や機械器具などに広い分野に適用できることは明らかである。
【００５４】
また、前記実施例では、認証装置５の電源として太陽電池パネル１１を用いているが、太陽電池パネル１１に替えて小型乾電池等を用いた場合に、その寿命が延びるようになり、長期間電池交換しないで使用することができる。
【００５５】
また、前記実施例では、電線３２の分離部３２ｂにスイッチ部３３が設けられ、操作者が解錠操作を行う際に、認証装置５にて認証を行う必要があるが、電線３２の分離部３２ｂにスイッチ部３３が設けずに、電線３２の分離部３２ａにスイッチ部３３を設けるようにし、操作者が施錠操作を行う際に、認証装置５にて認証を行う必要があるように構成してもよい。
【００５６】
また、前記実施例では、電線３２が分離部３２ａ，３２ｂにより２系統にされているが、認証装置５にて認証を行う必要がある操作態様に応じて、分離部を３つや４つやそれ以上設け、電線３２を３系統や４系統やそれ以上設けるようにしてもよい。
【符号の説明】
【００５７】
１                什器
２                引出し（収納部）
４                摘み部（操作部）
５                認証装置（認証手段）
６                施解錠装置（動作手段）
７                動作部材
１１              太陽電池パネル（第１電力供給部）
２１              発電機（第２電力供給部，手動発電部）
２７              回転体（規制部材）
３０              電磁石（第２被供給部）
３２              電線
３２ａ，３２ｂ    分離部
３３              スイッチ部
３５              制御部（第１被供給部）
３６ａ，３６ｂ    整流器
【図１】
0005993145.tif 000002
【図２】
0005993145.tif 000003
【図３】
0005993145.tif 000004
【図４】
0005993145.tif 000005
【図５】
0005993145.tif 000006
【図６】
0005993145.tif 000007
【図７】
0005993145.tif 000008
【図８】
0005993145.tif 000009
【図９】
0005993145.tif 000010
【図１０】
0005993145.tif 000011